(57)【特許請求の範囲】
【請求項１】
同一平坦面に沿って配置された一対の脚部により平坦な載置面に対して略Ｖ字状に接触可能な当接面が設けられた基部と、前記基部に接続されるとともに前記基部から離れる方向に延び、かつ、マイクロホンユニットを支持可能なシャフトとを有するマイクロホン支持装置において、
前記基部は、前記当接面に対して平行に配置された回転支軸を有する支持部材を備えているとともに、前記一対の脚部の各一端が前記当接面に対して垂直な回動軸を介して前記支持部材に回動可能に連結され、前記シャフトが前記一対の脚部の間の位置で前記回転支軸に直交するように支持され、前記シャフトおよび前記各脚部が互いに平行配置可能であることを特徴とするマイクロホン支持装置。
【請求項２】
前記脚部に前記シャフトを収容可能な溝が形成されていることを特徴とする請求項１に記載したマイクロホン支持装置。
【請求項３】
前記溝が前記各脚部における相互対向面にそれぞれ形成されていることを特徴とする請求項２に記載したマイクロホン支持装置。
【請求項４】
前記シャフトが前記回転支軸の径方向に沿って移動可能であることを特徴とする前記請求項１に記載したマイクロホン支持装置。
【請求項５】
同一平坦面に沿って配置された一対の脚部により平坦な載置面に対して略Ｖ字状に接触可能な当接面が設けられた基部と、前記基部に接続されるとともに前記基部から離れる方向に延び、かつ、マイクロホンユニットを支持可能なシャフトとを有するマイクロホン支持装置において、
前記基部は、前記載置面上に配置される円筒状の回転支軸を有し、前記回転支軸の両端には、前記回転支軸の軸線と所定の角度で交差する回動軸が前記回転支軸の径方向に沿う面を中心とする面対称に設けられており、前記一対の脚部の各一端が前記回動軸に回動可能に連結されているとともに、前記シャフトが前記回転支軸に直交するように支持され、前記シャフトおよび前記各脚部が互いに平行配置可能であることを特徴とするマイクロホン支持装置。
【請求項６】
前記回転支軸の円弧面に滑り止め部が設けられていることを特徴とする請求項５に記載したマイクロホン支持装置。
【請求項７】
前記各脚部の各一端が、前記回動軸に嵌合接続されていることを特徴とする請求項５に記載したマイクロホン支持装置。
【発明の詳細な説明】
【０００１】
【発明の属する技術分野】
本発明はマイクロホン支持装置に係り、さらに詳しく言えば、卓上使用および携帯使用を両立できるとともに、良好な保管性および携帯性が得られるマイクロホン支持装置に関するものである。
【０００２】
【従来の技術】
一般に、マイクロホン支持装置としては、机等の載置面に載置するスタンドマイクロホンと、使用者が手で保持するハンドマイクロホンとに大別される。
例えば、図８には、本願出願人が実願平８−５０４号において提案したマイクロホンスタンド８０が示されている（実用新案登録第３０２６９１４号）。
【０００３】
このスタンドマイクロホン８０は、同一平坦面に沿って配置された一対の脚部８１，８１により平坦な載置面８２に対して略Ｖ字状に接触可能な当接面８３が設けられた基部８４と、この基部８４に接続されるとともに基部８４から離れる方向に延び、かつ、マイクロホンユニット８５を支持可能なシャフト８６とを有している。
このようなスタンドマイクロホン８０は、シャフト８６が当接面８３に対して平行配置された回転支軸８７と、回転支軸８７の周面に設けられたブラケット８８を介して基部８４に接続されていて、基部８４に対して回転支軸８７を回転させることにより載置面８２に対するシャフト８６の俯仰角を選択することにより、使用者に応じてマイクロホンユニット８５の位置あるいは向きを調整可能となっている。
【０００４】
【発明が解決しようとする課題】
ところで、前述したスタンドマイクロホン８０は、卓上使用のみを前提としていて、ハンドマイクロホンとして適した形状ではない。一方、一般に、ハンドマイクロホンは、使用者が手で保持することを前提としていて、単体ではスタンドマイクロホンとしての機能を有していない。
また、このスタンドマイクロホン８０は、一対の脚部８１，８１が互いに所定の角度で固定されているため、保管性あるいは携帯性に難があるという問題もある。
【０００５】
このため、従来より、スタンドマイクロホンとしての機能と、ハンドマイクロホンとしての機能とを併せ持つとともに、良好な保管性・携帯性が得られるマイクロホン装置が求められていた。
本発明は、このような従来の要望を満たすためになされたもので、その目的は、スタンドマイクロホンとしての機能と、ハンドマイクロホンとしての機能とを併せ持とともに、良好な保管性・携帯性が得られるマイクロホン装置を提供することにある。
【０００６】
【課題を解決するための手段】
前記目的を達成するために、本発明の請求項１に記載した発明は、同一平坦面に沿って配置された一対の脚部により平坦な載置面に対して略Ｖ字状に接触可能な当接面が設けられた基部と、前記基部に接続されるとともに前記基部から離れる方向に延び、かつ、マイクロホンユニットを支持可能なシャフトとを有するマイクロホン支持装置において、前記基部は、前記当接面に対して平行に配置された回転支軸を有する支持部材を備えているとともに、前記一対の脚部の各一端が前記当接面に対して垂直な回動軸を介して前記支持部材に回動可能に連結され、前記シャフトが前記一対の脚部の間の位置で前記回転支軸に直交するように支持され、前記シャフトおよび前記各脚部が互いに平行配置可能であることを特徴としている。
【０００７】
この場合、本発明における当接面とは、載置面に対して面当接するものに限定されず、例えば線当接あるいは点当接するものも含むものであり、各脚部が載置面に対して当接する個所を結んだ線が略Ｖ字状であればよい。
また、シャフトとしては、金属製・合成樹脂製のフレキシブルパイプを含む各種パイプ材あるいは無垢棒材等が採用でき、直線形状あるいは所定角度で屈曲する所望形状に形成しておけばよい。
【０００８】
さらに、基部としては、例えば略ブロック状に形成された支持部材と、この支持部材に回動軸を介して接続された一対の脚部とにより構成してもよく、あるいは回転支軸と、この回転支軸の両端にそれぞれ接続された一対の脚部とにより構成してもよい。
そして、以上のような脚部は、一方の脚部と他方の脚部とが回動軸を介して相対的に回動可能であればよく、結果的に平行に配置できればよい。
また、本発明における回動軸とは、各脚部の回動方向を限定するために設定された仮想軸を意味し、部材としての軸の有無は任意である。
【０００９】
このような本発明の請求項１に記載した発明においては、回転支軸を介して基部に接続されているシャフトと、回動軸を介して相互に連結された各脚部とを有しているため、各脚部を互いに開脚させるとともにシャフトを適宜回動させればスタンドマイクロホンとしての機能が得られ、シャフトおよび各脚部を互いに平行に配置すれば使用者が手で保持可能なハンドマイクロホンとしての機能が得られるとともに、良好な保管性および携帯性が得られることになり、これらにより前記目的が達成される。
【００１０】
また、請求項２に記載した発明は、前記脚部に前記シャフトを収容可能な溝が形成されていることを特徴としている。
この場合、溝としては、シャフトおよび各脚部を互いに並行配置したときに、シャフトを収容可能な位置，形状，大きさに適宜形成しておけばよく、シャフトの断面形状に対応して少なくとも一方の脚部に形成しておけばよい。
このような請求項２に記載した発明においては、シャフトおよび各脚部を互いに並行配置したときに、シャフトが溝に収容されるため、シャフトおよび各脚部が密接した状態で並行配置され、これにより全体形状を小さくできることになる。
【００１１】
さらに、請求項３に記載した発明においては、前記溝が前記各脚部における相互対向面にそれぞれ形成されていることを特徴としているため、シャフトおよび各脚部を互いに並行配置したときにシャフトが各脚部に挟み込まれることになり、その全体形状を一層小さくできることになる。
【００１２】
そして、請求項４に記載した発明は、前記シャフトが前記回転支軸の径方向に沿って移動可能であることを特徴とし、例えば回転支軸に対してシャフトを径方向に貫通させておく構造や、あるいは回転支軸の周面に設けられたホルダ等にシャフトを取り付けておく構造等が採用できる。
この請求項４に記載した発明においては、シャフトが回転支軸の径方向に沿って移動可能であるため、スタンドマイクロホンとしての使用時およびハンドマイクロホンとしての使用時に応じて、使用者に応じて適切な位置にマイクロホンユニットを配置できることになる。
【００１３】
一方、請求項５に記載した発明は、同一平坦面に沿って配置された一対の脚部により平坦な載置面に対して略Ｖ字状に接触可能な当接面が設けられた基部と、前記基部に接続されるとともに前記基部から離れる方向に延び、かつ、マイクロホンユニットを支持可能なシャフトとを有するマイクロホン支持装置において、前記基部は、前記載置面上に配置される円筒状の回転支軸を有し、前記回転支軸の両端には、前記回転支軸の軸線と所定の角度で交差する回動軸が前記回転支軸の径方向に沿う面を中心とする面対称に設けられており、前記一対の脚部の各一端が前記回動軸に回動可能に連結されているとともに、前記シャフトが前記回転支軸に直交するように支持され、前記シャフトおよび前記各脚部が互いに平行配置可能であることを特徴としている。
【００１４】
この場合、回転支軸は、載置面に対して一定角度転動するように接触可能であればよく、例えば周面に形成されたリブ，溝，突起等により載置面に対して線接触あるいは点接触しても技術的に均等なものとして本発明に含まれる。
【００１５】
このような請求項５に記載した発明においては、スタンドマイクロホンとしての使用時、すなわち各脚部を略Ｖ字状に開脚させるとともにシャフトが立設するように回転支軸を適宜回転させた状態から、載置面に対してシャフトが平行になるように円弧面を接触させながら回転支軸を回転させると、各脚部の先端が接触した状態であるため、各脚部が回転支軸に対して回動することになる。すなわち、請求項５に記載した発明においては、あらかじめ回転支軸に対するシャフトの接続個所を適宜選択しておけば、載置面に対してシャフトが平行になったときに、各脚部を互いに平行に配置できることになる。
したがって、請求項５に記載した発明においては、スタンドマイクロホンとしての使用時から、回転支軸を回転させるためにシャフトを載置面に対して平行にさせるという極めて簡単な操作を行うことにより、容易にハンドマイクロホンとしての使用に適した形態に変化することになる。
【００１６】
また、請求項６に記載した発明は、前記回転支軸の円弧面に滑り止め部が設けられていることを特徴とし、例えばゴムシートを貼設する構造や、あるいは円弧面にローレット加工を施す構造等が採用できる。
請求項６に記載した発明においては、円弧面に滑り止め部が設けられているため、スタンドマイクロホンとしての使用時からハンドマイクロホンとしての使用形態に変化させるにあたって、載置面に対する円弧面の滑りを防止できることになる。
【００１７】
さらに、請求項７に記載した発明は、前記各脚部の各一端が、前記回動軸に嵌合接続されていることを特徴としている。
この請求項７に記載した発明においては、各脚部がそれぞれ回転支軸の両端面に嵌合接続されているため、回動軸として別途部材が必要なく、構成部品を少数化できることになる。
【００１８】
【発明の実施の形態】
以下、本発明の実施例を図面に基づいて説明する。
図１には、本発明に係る第１実施例が示されている。本実施例におけるマイクロホン支持装置１０は、先に説明した図８のスタンドマイクロホンと同様に、同一平坦面に沿って配置された一対の脚部１１，１１により平坦な載置面１２に対して略Ｖ字状に接触可能な当接面１３が設けられた基部１４と、この基部１４に接続されるとともに基部１４から離れる方向に延び、かつ、マイクロホンユニット１５を支持可能なシャフト１６とを有している。
【００１９】
基部１４は、前述した脚部１１，１１と、これらの各脚部１１，１１が接続される支持部材１７とを含んで構成されていて、各脚部１１，１１の底面１１Ｂ，１１Ｂおよび支持部材１７の底面１７Ａが当接面１３とされている。
この実施例において、脚部１１は、略角柱形状とされ、長手方向一端側が先細りとされているとともに、長手方向他端側に段部１１Ａが設けられている。一方、図２および図３にも示すように、支持部材１７は、各脚部１１の段部１１Ａに対して組み合わせ可能な突出部１７Ｂが一対設けられたブロック形状とされている。これらの突出部１７Ｂ，１７Ｂには、それぞれ脚部１１を接続するための回動軸１８を係止可能なスリット１７Ｃが一対形成されている。スリット１７Ｃ，１７Ｃは、当接面１３に対して直交する方向に沿うとともに、互いに平行に形成されている。
したがって、これらの脚部１１，１１は、当接面１３に対して直交された回動軸１８，１８を介して相互に連結され、支持部材１７に対して回動軸１８，１８を中心として個別に回動可能とされている。
【００２０】
シャフト１６は、直線状に形成されたパイプ材とされ、当接面１３に対して平行配置された回転支軸１９を介して基部１４に接続されている。
図３にも示すように、回転支軸１９は略円柱形状とされ、両端面にそれぞれ球面状の突起１９Ａ（図２（Ａ）参照）が設けられているとともに、径方向にシャフト１６が挿通可能な貫通孔１９Ｂが形成され、かつ、周面から貫通孔１９Ｂに到達する切り込み１９Ｃが形成されている。
したがって、シャフト１６は、回転支軸１９の貫通孔１９Ｂに挿通することにより、回転支軸１９の軸線を中心として回転可能、かつ、回転支軸１９の径方向に移動可能とされている。
【００２１】
このような回転支軸１９は、支持部材１７に設けられた凹部２０に嵌合されている。凹部２０は、一対の対向面２０Ａ，２０Ａにそれぞれ突起１９Ａに対応する３次元曲面の窪部２０Ｂ（図２（Ａ）参照）が形成されていて、これらの窪部２０Ｂにそれぞれ突起１９Ａを嵌め込むことにより、回転支軸１９を回転可能に保持できるようになっている。
そして、シャフト１６は、回転支軸１９が凹部２０に嵌合されると、弾性変形により貫通孔１９Ｂに握着保持され、一定以上の力を加えないと回転支軸１９の径方向に移動しないようになっている。
【００２２】
以上のようなマイクロホン支持装置１０は、回転支軸１９を支持部材１７に対して回転させることによりシャフト１６を当接面１３と平行に配置し、かつ、回動軸１８，１８を中心として各脚部１１，１１を回動させることにより、シャフト１６および各脚部１１，１１を互いに平行配置可能とされている。
この際、シャフト１６は、各脚部１１，１１間の収容部２１に収容されることにより、各脚部１１，１１とともに密接した状態で配置される。
そして、収容部２１は、本実施例のように、各脚部１１，１１における相互対向面１１Ｃ，１１Ｃにそれぞれ断面半円状の溝２２，２２を形成しておけば、各脚部１１，１１を平行に配置したときに、シャフト１６が各脚部１１，１１間に挟み込まれる。
【００２３】
次に、マイクロホン支持装置１０の使用方法を説明する。
本実施例のマイクロホン支持装置１０をスタンドマイクロホンとして使用するにあたっては、支持部材１７に対して回動軸１８，１８を中心として各脚部１１，１１を回動させることにより各脚部１１，１１を略Ｖ字状に開脚させるとともに、回転支軸１９を支持部材１７に対して回転させることにより載置面１２に対するシャフト１６の俯仰角を選択し、使用者に応じてマイクロホンユニット１５の位置あるいは向きを調整する（図１の状態）。
この際、各脚部１１，１１は、図２（Ａ）に示すように、段部１１Ａ，１１Ａに形成された斜面１１Ｄ，１１Ｄが互いに当接することにより、開脚角度が一定以下に規制され、マイクロホン支持装置１０を安定的に載置できるようになっている。
【００２４】
一方、本実施例のマイクロホン支持装置１０をハンドマイクロホとして使用するか、あるいは保管・携帯するにあたっては、まず回転支軸１９を支持部材１７に対して回転させることにより当接面１３に対してシャフト１６を平行に配置し、次いで支持部材１７に対して回動軸１８，１８を中心として各脚部１１，１１を回動させることにより各脚部１１，１１を閉脚させる。
これにより、各脚部１１，１１を平行に配置することにより設けられる収容部２１にシャフト１６を収容した後、シャフト１６を回転支軸１９の径方向に沿って移動させ、マイクロホンユニット１５を各脚部の長手方向端部に接触させる（図２の状態）。
【００２５】
以上のような本実施例のマイクロホン支持装置１０によれば、各脚部１１，１１を開脚させるとともにシャフト１６を適宜回動させればスタンドマイクロホンとしての機能が得られ、シャフト１６および各脚部１１，１１を互いに並行に配置すれば使用者が手で保持可能なハンドマイクロホンとしての機能が得られるとともに、良好な保管性および携帯性が得られる。
【００２６】
また、このマイクロホン支持装置１０は、ハンドマイクロホンとして使用する場合、シャフト１６を溝２２，２２に収容することにより、シャフト１６および各脚部１１，１１が密接した状態で並行配置され、これにより全体形状を小さくできる。
さらに、溝２２，２２が各脚部１１，１１の相互対向面１１Ｃ，１１Ｃにそれぞれ形成されているため、シャフト１６を各脚部１１，１１が挟み込むことにより、ハンドマイクロホンとして使用するマイクロホン支持装置１０の全体形状を一層小さくできる。
【００２７】
そして、本実施例のマイクロホン支持装置１０は、シャフト１６が回転支軸１９の径方向に沿って移動可能であるため、スタンドマイクロホンあるいはハンドマイクロホンとしての使用するにあたって、使用者に応じて適切な位置にマイクロホンユニット１５を配置できる。
【００２８】
図４には、本発明に係る第２実施例が示されている。本実施例におけるマイクロホン支持装置４０は、同一平坦面に沿って配置された一対の脚部４１，４１により平坦な載置面４２に対して略Ｖ字状に接触可能な当接面４３が設けられた基部４４と、この基部４４に接続されるとともに基部４４から離れる方向に延び、かつ、マイクロホンユニット（図示せず）を内蔵した狭指向性マイクロホン４５（ガンマイク）とを有している。
【００２９】
基部４４は、前述した脚部４１，４１と、ガンマイク４５が接続される回転支軸４９とを含んで構成されている。
図５にも示すように、回転支軸４９は、載置面４２に対して接触可能な凸状の円弧面５０を有する略円筒形状とされ、この円弧面５０に滑り止め部５１が設けられている。滑り止め部５１は、円弧面５０の所定位置に摩擦係数が高い適宜なゴムシートを貼設することにより設けられている。
【００３０】
この回転支軸４９は、その両端面５２，５２が軸線に対して所定の角度で交差するように形成されているとともに、各脚部４１，４１がそれぞれ各端面５２，５２に回転可能に接続されている。したがって、本実施例のマイクロホン支持装置４０は、各脚部４１，４１が回転支軸４９に対して交差配置された回動軸（図示せず）を介して相互に連結され、かつ、各回動軸が回転支軸４９の径方向に沿う面を中心とする面対称に配置されている。
図６に示すように、脚部４１は、回転支軸４９の端面５２に嵌合可能な略円筒状の取付部５３を有し、当該脚部４１の先端が取付部５３の軸線に対して所定の角度で交差する方向に延びている。
【００３１】
次に、マイクロホン支持装置４０の使用方法を説明する。
本実施例のマイクロホン支持装置４０をスタンドマイクロホンとして使用するにあたっては、ガンマイク４５が当接面４３に対して交差するように回転支軸４９を回転させる。この際、使用者が各脚部４１，４１の先端を載置面４２に押し付けておけば、回転支軸４９の回転に伴って徐々に略Ｖ字状に開脚し、マイクロホン支持装置１０を安定的に載置できるようになっている（図４の状態）。
【００３２】
一方、本実施例のマイクロホン支持装置４０をハンドマイクロホンとして使用するか、あるいは保管・携帯するにあたっては、ガンマイク４５が載置面４２に対して平行になるように、使用者がガンマイク４５を載置面４２に向けて倒す。この際、回転支軸４９の回転に伴って各脚部４１，４１が回転支軸４９に対して回動することにより、各脚部４１，４１が互いに平行に配置されるとともに、各脚部４１，４１およびガンマイク４５が互いに平行に配置される（図６および図７の状態）。
【００３３】
以上のような本実施例のマイクロホン支持装置４０によれば、各脚部４１，４１を開脚させるとともにガンマイク４５を適宜回動させればスタンドマイクロホンとしての機能が得られ、ガンマイク４５および各脚部４１，４１を互いに並行に配置すれば使用者が手で保持可能なハンドマイクロホンとしての機能が得られるとともに、良好な保管性および携帯性が得られるという前述した第１実施例と同様な効果が得られる。
【００３４】
そして、本実施例のマイクロホン支持装置４０によれば、スタンドマイクロホンとしての使用時からガンマイク４５を載置面４２に向かって倒すという極めて簡単な操作を行うだけで自動的に各脚部４１，４１およびガンマイク４５が平行に配置され、これにより容易にハンドマイクロホンとしての使用に適した形態に変化する。
【００３５】
また、このマイクロホン支持装置４０によれば、円弧面５０に滑り止め部５１が設けられているため、スタンドマイクロホンとしての使用時からハンドマイクロホンとしての使用形態に変化させるにあたって、載置面４２に対する円弧面５０の滑りを防止できる。
さらに、このマイクロホン支持装置４０によれば、各脚部４１，４１がそれぞれ回転支軸４９の両端面５２，５２に嵌合接続されているため、回動軸として別途部材が必要なく、構成部品を少数化できる。
【００３６】
なお、本発明は前述した実施例に限定されるものではなく、例えば脚部，当接面，基部，マイクロホンユニット，シャフト，回転支軸，回動軸，溝，円弧面，滑り止め部等の材質，形状，寸法，形態，数，配置個所等は本発明を達成できる範囲での改良，変形等は本発明に含まれるものであり、任意である。
【００３７】
【発明の効果】
本発明の請求項１に記載した発明によれば、スタンドマイクロホンとしての機能とハンドマイクロホンとしての機能が得られるとともに、良好な保管性および携帯性が得られる。
また、請求項２に記載した発明によれば、スタンドマイクロホンとして使用するにあたって、全体形状を小さくできる。
さらに、請求項３に記載した発明によれば、シャフトが各脚部に挟み込まれるため、スタンドマイクロホンとして使用するにあたって、その全体形状を一層小さくできる。
そして、請求項４に記載した発明によれば、スタンドマイクロホンとしての使用時およびハンドマイクロホンとしての使用時に応じて、使用者に応じて適切な位置にマイクロホンユニットを配置できる。
【００３８】
一方、請求項５に記載した発明によれば、スタンドマイクロホンとしての使用時から、回転支軸を回転させるためにシャフトを載置面に対して平行にさせるという極めて簡単な操作を行うことにより、容易にハンドマイクロホンとしての使用に適した形態が得られる。
また、請求項６に記載した発明によれば、円弧面に滑り止め部が設けられているため、載置面に対する円弧面の滑りを防止できる。
さらに、請求項７に記載した発明によれば、各脚部がそれぞれ回転支軸の両端面に嵌合接続されているため、回動軸として別途部材が必要なく、構成部品を少数化できる。
【図面の簡単な説明】
【図１】本発明の第１実施例を示す全体斜視図である。
【図２】マイクロホン支持装置の平面図および側面図である。
【図３】支持部材，回転支軸およびシャフトを示す要部分解斜視図である。
【図４】本発明の第２実施例を示す全体斜視図である。
【図５】回転支軸を示す正面図，側面図，背面図および平面図である。
【図６】回転支軸および脚部の接続状態を示す断面図である。
【図７】折り畳んだ状態を示す全体斜視図である。
【図８】従来のスタンドマイクロホンを示す全体斜視図である。
【符号の説明】
１０，４０  マイクロホン支持装置
１１，４１  脚部
１１Ｃ  対向面
１２，４２  載置面
１３，４３  当接面
１４，４４  基部
１５  マイクロホンユニット
１６  シャフト
１８  回動軸
１９  回転支軸
２２  溝
４５  シャフトである侠指向性マイクロホン（ガンマイク）
５０  円弧面
５１  滑り止め部
【図１】
0003834359.tif 000002
【図２】
0003834359.tif 000003
【図３】
0003834359.tif 000004
【図４】
0003834359.tif 000005
【図５】
0003834359.tif 000006
【図６】
0003834359.tif 000007
【図７】
0003834359.tif 000008
【図８】
0003834359.tif 000009